(57)【特許請求の範囲】
【請求項１】
ケースの中にダイヤル作動部が組み込まれ、このダイヤル作動部は操作用の複数枚の円盤状のダイヤルを備えるとともにダイヤルに対して係脱するカムをダイヤルと同芯上に備え、またカムには一箇所に扁平面が形成された円弧状カム面を備え、このカムの扁平面に当接する状態と円弧状カム面に当接する状態との間で作動する作動プレートが設けられ、前記ケースには前記ダイヤルの一部を嵌入させて外部に突出させる開口部が形成されており、ケースの外側には傘の柄引っ掛け部が形成されており、この傘の柄引っ掛け部に対して引っ掛けられた傘の柄が取り外せないように開閉自在なシャッタを設け、閉じられたシャッタは前記作動プレートが円弧状カム面に当接する状態にあるときに開かれるのが止められ、作動プレートがカムの扁平面に当接する状態になると開かれるように構成されてなる傘立て用傘保持装置であり、前記各カムの円弧状カム面には解除ピン嵌入孔が形成されており、ケースに形成された差し込み孔より解除ピンの先端をカムの解除ピン嵌入孔に嵌入させるように構成し、ダイヤルの数に合う複数本の解除ピンが、摘みに長さ方向に往復移動自在に差し込まれるとともに抜け止め状態で支持され、各解除ピンは摘み内に設けたばねにより摘みから突出する方向に付勢され、前記複数本の解除ピンをケースの差し込み孔より一度に差し込むことにより複数枚のダイヤルに嵌り込んでいるカムの解除ピン嵌入孔に全ての解除ピンの先端を順番に嵌入させることが可能に構成されたことを特徴とする傘立て用傘保持装置。
【請求項２】
前記カムのカム面は、ダイヤルと同芯上の異なる位置にそれぞれ配設されるとともにダイヤルよりも小径とされ、前記作動プレートは、ダイヤルの一部が嵌入する開口部が形成されて、平板状の部分で前記カムが載ってカム面に当接されていることを特徴とする請求項１に記載の傘立て用傘保持装置。
【発明の詳細な説明】
【技術分野】
【０００１】
本発明は、傘立てに取り付けられ傘立てに立てられる傘の柄の部分を保持する傘立て用傘保持装置に関するものである。
【背景技術】
【０００２】
従来のこの種傘保持装置としては、例えば特許文献１に開示されている符号錠が組み合わされたものが知られている。この特許文献１における符号錠は、外周面に符号が設けられた複数の外リングの内側に、支持軸により回動自在に支持された内リングを外リングに対して相対回転可能に嵌め、前記外リングの内周面と内リングの外周面とを共回り可能な摩擦係数をもって接触させ、前記内リングの側面に切欠部を形成し、この切欠部に係合可能な爪を有する係合部材を前記支持軸の軸方向にスライド自在に設け、この係合部材の一端に、前記爪が切欠部から離脱したとき扉に係合する係合片を設けたものであって、暗証番号を忘れた場合、鍵孔に鍵板を挿入し、脚を押し上げながら各外リングを一回転以上回転させるとよく、ボスに係合部が当接しつつ、外リングと共に内リングが回転し、ボスの溝と係合部の位置が一致したとき、溝に係合部が係合して、切欠部と爪の位置が一致し、扉を開くことができるようになっている。
【先行技術文献】
【特許文献】
【０００３】
【特許文献１】特開平９−７２１３５号公報
【発明の概要】
【発明が解決しようとする課題】
【０００４】
上記従来の傘保持装置の構成では、暗証番号を忘れた場合に非常解除するために、ケース内において、各ダイヤル（外リング）に対応してボスの溝に係合する係合部を備えた脚を設ける必要があり、それだけ部品点数が多くなり、コストアップになるという問題があった。
【０００５】
本発明の目的は、このような課題を解決するものであり、暗証番号を忘れた場合に非常解除するための機構を簡素化できてコストダウンを図るとともに、非常解除時の作業性に優れた傘立て用傘保持装置を提供することにある。
【課題を解決するための手段】
【０００６】
本発明の請求項１に記載の傘立て用傘保持装置は、ケースの中にダイヤル作動部が組み込まれ、このダイヤル作動部は操作用の複数枚の円盤状のダイヤルを備えるとともにダイヤルに対して係脱するカムをダイヤルと同芯上に備え、またカムには一箇所に扁平面が形成された円弧状カム面を備え、このカムの扁平面に当接する状態と円弧状カム面に当接する状態との間で作動する作動プレートが設けられ、前記ケースには前記ダイヤルの一部を嵌入させて外部に突出させる開口部が形成されており、ケースの外側には傘の柄引っ掛け部が形成されており、この傘の柄引っ掛け部に対して引っ掛けられた傘の柄が取り外せないように開閉自在なシャッタを設け、閉じられたシャッタは前記作動プレートが円弧状カム面に当接する状態にあるときに開かれるのが止められ、作動プレートがカムの扁平面に当接する状態になると開かれるように構成されてなる傘立て用傘保持装置であり、前記各カムの円弧状カム面には解除ピン嵌入孔が形成されており、ケースに形成された差し込み孔より解除ピンの先端をカムの解除ピン嵌入孔に嵌入させるように構成し、ダイヤルの数に合う複数本の解除ピンが、摘みに長さ方向に往復移動自在に差し込まれるとともに抜け止め状態で支持され、各解除ピンは摘み内に設けたばねにより摘みから突出する方向に付勢され、前記複数本の解除ピンをケースの差し込み孔より一度に差し込むことにより複数枚のダイヤルに嵌り込んでいるカムの解除ピン嵌入孔に全ての解除ピンの先端を順番に嵌入させることが可能に構成されたことを特徴とする。
【０００７】
請求項２に記載の傘立て用傘保持装置は、前記カムのカム面は、ダイヤルと同芯上の異なる位置にそれぞれ配設されるとともにダイヤルよりも小径とされ、前記作動プレートは、ダイヤルの一部が嵌入する開口部が形成されて、平板状の部分で前記カムが載ってカム面に当接されていることを特徴とする。
【発明の効果】
【０００８】
以上のように、本発明の傘立て用傘保持装置は、ダイヤルを回して設定した暗証番号を忘れた場合、複数枚の全てのダイヤルに嵌り込むカムの扁平面が作動プレートに当接するようにして作動プレートをほぼ水平状態に戻すようにすれば良く、そのために本発明では各カムの円弧状カム面には解除ピン嵌入孔が形成されており、ケースに形成された差し込み孔より解除ピンの先端をカムの解除ピン嵌入孔に嵌入させるように構成したことにより、ダイヤルを回して全てのカムの解除ピン嵌入孔に解除ピンの先端が嵌入する作業を行なえば作動プレートはカムの扁平面に当接した状態となってシャッタは開かれ、非常解除することができる。そして、本発明の傘立て用傘保持装置は暗証番号を忘れた場合に非常解除するための機構を簡素化できてコストダウンを図ることができる。また、ダイヤルの数に合う複数本の解除ピンが、摘みに長さ方向に往復移動自在に差し込まれるとともに抜け止め状態で支持され、各解除ピンは摘み内に設けたばねにより摘みから突出する方向に付勢され、前記複数本の解除ピンをケースの差し込み孔より一度に差し込むことにより複数枚のダイヤルに嵌り込んでいるカムの解除ピン嵌入孔に全ての解除ピンの先端を順番に嵌入させることが可能に構成されているので、設定した暗証番号を忘れた場合に行う非常解除作業を良好な作業効率で行うことができる。
【図面の簡単な説明】
【０００９】
【図１】本発明の一実施の形態における傘立て用傘保持装置の分解斜視図である。
【図２】（Ａ）および（Ｂ）はダイヤルの異なった方向から見た拡大斜視図である。
【図３】（Ａ）および（Ｂ）はカムの異なった方向から見た拡大斜視図である。
【図４】（Ａ）および（Ｂ）はダイヤルおよびカムと作動プレートを組み合わせた状態を異なった方向から見た斜視図である。
【図５】同作動プレートにダイヤルおよびカムを組み合わせた状態で上側ケース体に組み込んだ状態を上側ケース体を上下反転して見た斜視図である。
【図６】同摘み付きのシャッタ軸を下側ケース体に組み込んだ状態を示す斜視図である。
【図７】同上下のケース体を組み合わせて完成した傘立て用傘保持装置を前方から見た斜視図である。
【図８】同上下のケース体を組み合わせて完成した傘立て用傘保持装置を後方から見た斜視図である。
【図９】同シャッタ軸が開いている状態での傘立て用傘保持装置の正面断面図である。
【図１０】同シャッタ軸が開いている状態での傘立て用傘保持装置の側面断面図である。
【図１１】同シャッタ軸が閉じて傘の柄が引っ掛けられている状態での傘立て用傘保持装置の斜視図である。
【図１２】同シャッタ軸が閉じて傘の柄が引っ掛けられている状態での傘立て用傘保持装置の正面断面図である。
【図１３】同シャッタ軸が閉じている状態での傘立て用傘保持装置の側面断面図である。
【図１４】同傘立て用傘保持装置が横方向に多数並べて設けられた傘立ての斜視図である。
【図１５】同３本の解除ピンを備えたマスターキーの斜視図である。
【図１６】同マスターキーの解除ピンの先端がカムの円弧状カム面に当接した状態を示す断面図である。
【図１７】同マスターキーの解除ピンの先端がカムの解除ピン嵌入孔に嵌入して作動プレートがほぼ水平状態に戻った状態を示す断面図である。
【発明を実施するための形態】
【００１０】
以下、本発明の一実施の形態を、図１〜図１７を用いて具体的に説明する。
図において、１は上下に２分割されて作られた合成樹脂製のケース体２，３を組み合わせてなるケースで、ケース１を正面から見て右側において上側ケース体２に組み込まれたダイヤル作動部４の３枚の円盤状のダイヤル５，６，７の上部を嵌入させて上方に突出させる開口部８，９，１０が上側ケース体２に形成されている。ケース１の外側にはケース１を正面から見て左側において後端部に傘の柄引っ掛け部１１が一体に形成されており、この傘の柄引っ掛け部１１に対してケース１の前端部は開口しており、このケース１の前端部の開口状態において傘の柄引っ掛け部１１に対して傘の柄１２を引っ掛けることができるようになる。１３は傘の柄引っ掛け部１１に傘の柄１２が引っ掛けられた傘１４を取り外せないように下側ケース体３に取り付けられた丸軸状のシャッタ軸で、このシャッタ軸１３の一端には操作用の摘み１５が結合され、この摘み１５を摘んでシャッタ軸１３をケース１の左側における前端部の開口を閉じるようにスライドさせることにより傘の柄引っ掛け部１１に傘の柄１２が引っ掛けられた傘１４を取り外せないようになる。摘み１５を摘んでスライドしたシャッタ軸１３の他端は上下のケース体２，３を組み合わせて形成される左側板部の合わせ目に形成された凹部１６に嵌り込み前記ダイヤル作動部４の作動（詳細については後述する）によりロック状態となり、シャッタ軸１３でケース１の左側における前端部の開口を傘の柄１２の挿脱が不可となるよう閉じた状態にすることができる。ところで、シャッタ軸１３および摘み１５も合成樹脂材料で作られている。
【００１１】
前記ダイヤル作動部４について詳細に説明すると、ダイヤル作動部４は前記３枚のダイヤル５，６，７と、この３枚のダイヤル５，６，７に対してそれぞれ嵌入してダイヤル５，６，７の軸芯方向に移動可能なカム１７，１８，１９と、ダイヤル５，６，７に嵌入するカム１７，１８，１９の軸孔１７ａ，１８ａ，１９ａに挿通されてカム１７，１８，１９およびダイヤル５，６，７を回転自在に支持するダイヤル軸２０と、３枚並んだ状態のダイヤル５，６，７の下部を嵌入させる開口部２１ａ，２１ｂ，２１ｃが形成され前記カム１７，１８，１９が載るように当接する作動プレート２１とを備えている。
【００１２】
さらに詳しくは、前記３枚の各ダイヤル５，６，７の回転中心においてダイヤル５，６，７の厚み方向に小径の孔部５ａ，６ａ，７ａと大径の孔部５ｂ，６ｂ，７ｂが並んで形成され、前記小径の孔部５ａ，６ａ，７ａの内周面には周方向に等間隔おきに多数の凹部５ｃ，６ｃ，７ｃが形成されている。また、前記カム１７，１８，１９は前記ダイヤル５，６，７の小径の孔部５ａ，６ａ，７ａに嵌入し且つ周囲に前記凹部５ｃ，６ｃ，７ｃのピッチよりも粗いピッチで凹部５ｃ，６ｃ，７ｃと嵌合する凸部１７ｂ，１８ｂ，１９ｂが形成された小径部１７ｃ，１８ｃ，１９ｃと、前記ダイヤル５，６，７の大径の孔部５ｂ，６ｂ，７ｂに嵌入し一箇所に扁平面１７ｄ，１８ｄ，１９ｄが形成された円弧状カム面１７ｅ，１８ｅ，１９ｅとからなり、厚みが各ダイヤル５，６，７の厚みよりも厚くなるように形成されている。また、前記ダイヤル軸２０は前記カム１７，１８，１９の軸孔１７ａ，１８ａ，１９ａに挿通される回転支持軸部２０ａと、この回転支持軸部２０ａの一端に回転支持軸部２０ａに対して直角に向き回転支持軸部２０ａの下方に延びるように連設された作動軸部２０ｂとを備えており、回転支持軸部２０ａが挿通された３枚のカム１７，１８，１９は回転支持軸部２０ａの一端の作動軸部２０ｂと回転支持軸部２０ａの他端に嵌められたＥリング２２との間で互いに重なり合った状態となり、ダイヤル軸２０軸芯方向の動きにより３枚のカム１７，１８，１９も同方向に連動するように構成されている。また、前記作動プレート２１は後端部の回転軸部２１ｄが前記上側ケース体２の内部の軸受部２３に嵌り込み、回転軸部２１ｄを上側ケース体２と下側ケース体３との間で挟んだ状態で支持するようにし、同時に後端部に巻き付けるようにして設けたばね２４により作動プレート２１は前記カム１７，１８，１９に当接するように上向きに付勢されており、この作動プレート２１にカム１７，１８，１９の扁平面１７ｄ，１８ｄ，１９ｄが当接した状態では作動プレート２１はほぼ水平状態となり、作動プレート２１にカム１７，１８，１９の円弧状カム面１７ｅ，１８ｅ，１９ｅが当接した状態では作動プレート２１はばね２４力に抗して前端部が下向きに押し下げられた傾斜状態になる。前記カム１７，１８，１９の扁平面１７ｄ，１８ｄ，１９ｄや円弧状カム面１７ｅ，１８ｅ，１９ｅが作動プレート２１に当接するように切り替える動作はカム１７，１８，１９の小径部１７ｃ，１８ｃ，１９ｃがダイヤル５，６，７の小径の孔部５ａ，６ａ，７ａに嵌入し且つ前記凸部１７ｂ，１８ｂ，１９ｂが前記凹部５ｃ，６ｃ，７ｃに嵌合した状態でダイヤル５，６，７の回転により行なえる。また、カム１７，１８，１９の小径部１７ｃ，１８ｃ，１９ｃがダイヤル５，６，７の小径の孔部５ａ，６ａ，７ａに嵌入し且つ前記凸部１７ｂ，１８ｂ，１９ｂが前記凹部５ｃ，６ｃ，７ｃに嵌合した状態にする操作は、摘み１５を摘んでシャッタ軸１３をケース１の左側における前端部の開口を閉じるようにスライドさせることにより摘み１５の最終移動点直前において摘み１５が前記ダイヤル軸２０の作動軸部２０ｂに当接してその後摘み１５が最終移動点まで僅か移動することにより摘み１５の移動方向にダイヤル軸２０が押されて前記カム１７，１８，１９が同方向に移動し、カム１７，１８，１９の小径部１７ｃ，１８ｃ，１９ｃがダイヤル５，６，７の小径の孔部５ａ，６ａ，７ａに嵌入し且つ前記凸部１７ｂ，１８ｂ，１９ｂが前記凹部５ｃ，６ｃ，７ｃに嵌合するとともにカム１７，１８，１９の円弧状カム面１７ｅ，１８ｅ，１９ｅがダイヤル５，６，７の大径の孔部５ｂ，６ｂ，７ｂに嵌合した状態となり、各ダイヤル５，６，７を回すことによりカム１７，１８，１９も連動して回転することになる。そして、前述のように作動プレート２１にカム１７，１８，１９の円弧状カム面１７ｅ，１８ｅ，１９ｅが当接して作動プレート２１がばね２４力に抗して前端部が下向きに押し下げられることにより、作動プレート２１の先端の下向きの突出片２１ｅが摘み１５の背面に当接するようになり、摘み１５およびシャッタ軸１３がシャッタ軸１３と平行に摘み１５と下側ケース体３の壁面３ａとの間に設けたばね２５によりケース１の左側における前端部の開口を開いた元の状態に戻ろうとするのを止めることができるようになっている。２５ａはばね２５の支持軸である。２６は前記摘み１５によるダイヤル軸２０の押し付けが解除された後、ダイヤル軸２０を元の位置、即ち前記カム１７，１８，１９の凸部１７ｂ，１８ｂ，１９ｂが前記凹部５ｃ，６ｃ，７ｃから抜け出た状態に戻すための板ばねである。なお、前記各ダイヤル５，６，７には外周に０〜９までの数字による表示部５ｄ，６ｄ，７ｄが等ピッチで設けられており、各ダイヤル５，６，７において隣り合う表示部５ｄ，５ｄ間、６ｄ，６ｄ間、７ｄ，７ｄ間には凹部５ｅ，６ｅ，７ｅが形成されている。そして、前記下側ケース体３の内部には前記作動プレート２１の開口部２１ａ，２１ｂ，２１ｃから下側に突出するダイヤル５，６，７の下部の凹部５ｅ，６ｅ，７ｅの１つに先端が嵌り込みダイヤル５，６，７の回転時のクリック感を出すための樹脂製の弾性片２７，２８，２９が取り付けられている。
【００１３】
上記のようなダイヤル作動部４は上側ケース体２に組み込まれるのであるが、上側ケース体２に下側ケース体３を組み合わせることにより、前記ダイヤル作動部４の３枚のダイヤル５，６，７の上部の表示部５ｄ，６ｄ，７ｄは前記開口部８，９，１０から上方に突出し、シャッタ軸１３の摘み１５は下側ケース体３から前方に突出し、シャッタ軸１３は上側ケース体２と下側ケース体３との間で支持され、上下のケース体２，３で形成される左側板部の合わせ目に凹部１６が形成され、ケース１の左側後端部に傘の柄引っ掛け部１１が形成された傘立て用傘保持装置が完成する。
【００１４】
上記のような構成の傘立て用傘保持装置は図１４に示すように横方向に多数並べて設けられ、例えば１つの傘立て用傘保持装置の傘の柄引っ掛け部１１に対して傘の柄１２が引っ掛けられた傘１４を保持する場合は、傘の柄１２を傘の柄引っ掛け部１１に引っ掛け、かかる状態で前記開口部８，９，１０から突出して見える３枚のダイヤル５，６，７の表示部５ｄ，６ｄ，７ｄを暗証番号に合わせ、その後、前記摘み１５を摘んでシャッタ軸１３をスライドさせて傘の柄引っ掛け部１１に対するケース１の前端開口部を閉じることにより、前記ダイヤル軸２０が移動して前記カム１７，１８，１９の凸部１７ｂ，１８ｂ，１９ｂが前記凹部５ｃ，６ｃ，７ｃに嵌り込み、３枚のダイヤル５，６，７の少なくとも１枚を回すことにより作動プレート２１に前記回したダイヤル５，６，７に嵌り込むカム１７，１８，１９の円弧状カム面１７ｅ，１８ｅ，１９ｅが当接して作動プレート２１が前端部が下向きに押し下げられることになる。これにより、作動プレート２１の突出片２１ｅが摘み１５の背面に当接し、シャッタ軸１３がケース１の左側における前端部の開口を開いた元の状態に戻ろうとするのが止められ、傘１４の保持状態となる。
【００１５】
この傘１４の保持状態からケース１の左側における前端部の開口を開いて傘１４を取り出すときは、前記回したダイヤル５，６，７を暗証した番号に戻すように回すことにより回したダイヤル５，６，７に嵌り込むカム１７，１８，１９の扁平面１７ｄ，１８ｄ，１９ｄが作動プレート２１に当接して作動プレート２１が下向きからほぼ水平状態となるように復帰し、摘み１５と共にシャッタ軸１３は前記ばね２５によりケース１の左側における前端部の開口を開いた状態に戻ろうとする。これと同時に前記板ばね２６によりダイヤル軸２０とともにカム１７，１８，１９が元の状態に戻り、カム１７，１８，１９の凸部１７ｂ，１８ｂ，１９ｂが前記凹部５ｃ，６ｃ，７ｃから抜け出た状態となる。これにより、傘の柄引っ掛け部１１から傘１４を持ち上げて取り出すことができる。
【００１６】
傘保持装置の通常の操作は以上述べた通りであるが、設定した暗証番号を忘れた場合のために非常解除できるような機構を備えている。その非常解除機構について以下に述べると、前記各カム１７，１８，１９の円弧状カム面１７ｅ，１８ｅ，１９ｅには扁平面１７ｄ，１８ｄ，１９ｄが作動プレート２１に当接した状態において後端部より扁平面１７ｄ，１８ｄ，１９ｄと平行に解除ピン嵌入孔１７ｆ，１８ｆ，１９ｆが形成されており、上側ケース体２の後端面に形成された差し込み孔３０，３１，３２よりマスターキー３３の３本の解除ピン３３ａ，３３ｂ，３３ｃをケース１の内部に差し込み、解除ピン３３ａ，３３ｂ，３３ｃの先端を前記カム１７，１８，１９の解除ピン嵌入孔１７ｆ，１８ｆ，１９ｆに嵌入させるようになっている。シャッタ軸１３がケース１の左側における前端部の開口を閉じた状態において解除ピン３３ａ，３３ｂ，３３ｃの先端をカム１７，１８，１９の解除ピン嵌入孔１７ｆ，１８ｆ，１９ｆに嵌入させようとしても、カム１７，１８，１９の円弧状カム面１７ｅ，１８ｅ，１９ｅにより作動プレート２１を押し下げていて、カム１７，１８，１９の解除ピン嵌入孔１７ｆ，１８ｆ，１９ｆの向きが解除ピン３３ａ，３３ｂ，３３ｃの差し込み方向に対して傾いているので、解除ピン３３ａ，３３ｂ，３３ｃは解除ピン嵌入孔１７ｆ，１８ｆ，１９ｆに差し込むことができないことになる。マスターキー３３の３本の解除ピン３３ａ，３３ｂ，３３ｃは互いに平行状態でそれぞれの一端がマスターキー３３のヘッドとなる合成樹脂製の摘み３４に抜け止め状態で支持されている。詳しくは、マスターキー３３の３本の解除ピン３３ａ，３３ｂ，３３ｃは一端がマスターキー３３の摘み３４に長さ方向に往復移動自在に差し込まれるとともに各解除ピン３３ａ，３３ｂ，３３ｃは摘み３４内に設けたばね３５ａ，３５ｂ，３５ｃにより摘み３４から突出する方向に付勢されている。マスターキー３３はこのような構成となっているので、摘み３４を摘んで前記差し込み孔３０，３１，３２より差し込まれたマスターキー３３の３本の解除ピン３３ａ，３３ｂ，３３ｃの先端はばね３５ａ，３５ｂ，３５ｃ力に抗して前記カム１７，１８，１９の円弧状カム面１７ｅ，１８ｅ，１９ｅ側に押し付けられた状態を維持し、かかる状態でダイヤル５，６，７を１枚づつ回すことによりカム１７，１８，１９を回して解除ピン３３ａ，３３ｂ，３３ｃの先端とカム１７，１８，１９の解除ピン嵌入孔１７ｆ，１８ｆ，１９ｆが合致するとばね３５ａ，３５ｂ，３５ｃ力により解除ピン３３ａ，３３ｂ，３３ｃは先端が解除ピン嵌入孔１７ｆ，１８ｆ，１９ｆに嵌入するように押し込まれることになる。この操作を３枚のダイヤル５，６，７について行ない、全ての解除ピン３３ａ，３３ｂ，３３ｃの先端が解除ピン嵌入孔１７ｆ，１８ｆ，１９ｆに嵌入した状態においてカム１７，１８，１９の扁平面１７ｄ，１８ｄ，１９ｄが作動プレート２１に当接した状態となって作動プレート２１はほぼ水平状態となるように復帰する。これにより、作動プレート２１の突出片２１ｅは摘み１５から外れて摘み１５と共にシャッタ軸１３は前記ばね２５によりケース１の左側における前端部の開口を開いた状態に戻ることになる。
【００１７】
ところで、以上の非常解除時の説明では、非常解除する前の状態が３枚のダイヤル５，６，７に嵌り込んでいる全てのカム１７，１８，１９の円弧状カム面１７ｅ，１８ｅ，１９ｅで作動プレート２１を下向きに押し付けており、前記マスターキー３３の３本の解除ピン３３ａ，３３ｂ，３３ｃにより全てのカム１７，１８，１９の扁平面１７ｄ，１８ｄ，１９ｄを作動プレート２１に当接させて作動プレート２１をほぼ水平状態に復帰させているが、作動プレート２１を下向きに押し付けているカム１７，１８，１９が１枚ないし２枚であって残りのカムの扁平面は作動プレート２１に対向している状態から非常解除する場合は、マスターキー３３の３本の解除ピン３３ａ，３３ｂ，３３ｃの内、何れかは始めに扁平面が作動プレート２１に対向しているカムの解除ピン嵌入孔に先端が嵌入し、他のカムについて上記のようなダイヤルを回しながら解除操作を行なえば良い。
【００１８】
また、非常解除するために必ずしも３本の解除ピン３３ａ，３３ｂ，３３ｃを備えた上記のようなマスターキー３３を用いる必要はなく、１本の解除ピンがあれば１つのカム毎に解除ピンを押し付けながらダイヤルを回してカムの解除ピン嵌入孔に先端を嵌入させる操作を行なえば非常解除することができる。
【００１９】
さらに、上記した実施の形態では上側ケース体２の後端面に形成された差し込み孔３０，３１，３２よりマスターキー３３の３本の解除ピン３３ａ，３３ｂ，３３ｃを差し込んで非常解除を行なうように構成されているが、上側ケース体２の前端面に差し込み孔を形成し、この差し込み孔よりマスターキー３３の３本の解除ピン３３ａ，３３ｂ，３３ｃを差し込んで非常解除を行なうように構成することも可能である。
【００２０】
以上、本発明の具体的な実施の形態について説明したが、本発明にかかる傘立て用傘保持装置は上述した実施の形態に限定されるものではない。また、本発明にかかる傘立て用傘保持装置の各部の具体的な構成は、種々に設計変更自在である。
【産業上の利用可能性】
【００２１】
本発明の傘立て用傘保持装置は、店などの入口付近に設けられる傘立てに取り付けられ傘立てに立てられる傘の柄の部分を保持する傘立て用傘保持装置である。
【符号の説明】
【００２２】
１                      ケース
２                      上側ケース体
３                      下側ケース体
３ａ                    壁面
４                      ダイヤル作動部
５，６，７              ダイヤル
５ａ，６ａ，７ａ        小径の孔部
５ｂ，６ｂ，７ｂ        大径の孔部
５ｃ，６ｃ，７ｃ        凹部
５ｄ，６ｄ，７ｄ        表示部
５ｅ，６ｅ，７ｅ        凹部
８，９，１０            開口部
１１                      傘の柄引っ掛け部
１２                      傘の柄
１３                      シャッタ軸
１４                      傘
１５                      摘み
１６                      凹部
１７，１８，１９          カム
１７ａ，１８ａ，１９ａ    軸孔
１７ｂ，１８ｂ，１９ｂ    凸部
１７ｃ，１８ｃ，１９ｃ    小径部
１７ｄ，１８ｄ，１９ｄ    扁平面
１７ｅ，１８ｅ，１９ｅ    円弧状カム面
１７ｆ，１８ｆ，１９ｆ    解除ピン嵌入孔
２０                      ダイヤル軸
２０ａ                    回転支持軸部
２０ｂ                    作動軸部
２１                      作動プレート
２１ａ，２１ｂ，２１ｃ    開口部
２１ｄ                    回転軸部
２１ｅ                    突出片
２２                      Ｅリング
２３                      軸受部
２４                      ばね
２５                      ばね
２６                      板ばね
２７，２８，２９          弾性片
３０，３１，３２          差し込み孔
３３                      マスターキー
３３ａ，３３ｂ，３３ｃ    解除ピン
３４                      摘み
３５ａ，３５ｂ，３５ｃ    ばね
【図１】
0005479040.tif 000002
【図２】
0005479040.tif 000003
【図３】
0005479040.tif 000004
【図４】
0005479040.tif 000005
【図５】
0005479040.tif 000006
【図６】
0005479040.tif 000007
【図７】
0005479040.tif 000008
【図８】
0005479040.tif 000009
【図９】
0005479040.tif 000010
【図１０】
0005479040.tif 000011
【図１１】
0005479040.tif 000012
【図１２】
0005479040.tif 000013
【図１３】
0005479040.tif 000014
【図１４】
0005479040.tif 000015
【図１５】
0005479040.tif 000016
【図１６】
0005479040.tif 000017
【図１７】
0005479040.tif 000018